(57)【要約】【課題】可燃性冷媒を用いるとともに、コンデンシングユニットを天頂部に取り付けた業務用の大型冷蔵庫において、凝縮器や圧縮機の配管接続部から冷媒が漏洩した場合に、天井付近の蛍光灯などの着火源に高濃度の漏洩ガスが噴出されることを防止する。【解決手段】凝縮器８、凝縮用ファン１２、インバータ圧縮機２１からなるコンデンシングユニット部を、フロントグリル１５、サイドグリル１６、バックパネル２２で囲うとともに、切り起こし穴２４からなる排気口を複数設けた天板２３を設けるものである。【選択図】図１
2005114233.tif 000002
【特許請求の範囲】
【請求項１】
可燃性冷媒を用いるとともに、凝縮器と、凝縮用ファンと、圧縮機をユニットベース上に配置したコンデンシングユニットを天頂部に取り付けた冷蔵庫において、複数の排気口を設けた天板で天面を囲うことを特徴とする冷蔵庫。
【請求項２】
切り起こし穴で排気口を形成することを特徴とする請求項１記載の冷蔵庫。
【請求項３】
排気口を設けた天板の一部を取り外し可能とすることを特徴とする請求項１あるいは請求項２記載の冷蔵庫。
【請求項４】
排気口を消炎金網で囲うことを特徴とする請求項１〜３いずれか一項記載の冷蔵庫。
【請求項５】
凝縮器と圧縮機の上部以外の天面に排気口を設けることを特徴とする請求項１〜４いずれか一項記載の冷蔵庫。
【請求項６】
コンデンシングユニットの側面および背面を板で囲うことを特徴とする請求項１〜５いずれか一項記載の冷蔵庫。
【請求項７】
コンデンシングユニットの前面下部あるいは背面下部に吸気口を設けることを特徴とする請求項６記載の冷蔵庫。
【請求項８】
コンデンシングユニットの前面あるいは背面に吸気ファンを設けることを特徴とする請求項６記載の冷蔵庫。
【請求項９】
凝縮用ファンを１００Ｌ／分以上の風量で連続運転することを特徴とする請求項１〜８いずれか一項記載の冷蔵庫。
【発明の詳細な説明】
【技術分野】
【０００１】
本発明は、架台上部に冷却システムの圧縮機や凝縮器を設置し、架台下部に蒸発器を設置する冷凍冷蔵ユニットを本体上部に設けた業務用の大型冷凍冷蔵庫に関するものである。
【背景技術】
【０００２】
従来、５００Ｌを越える業務用の大型冷凍冷蔵庫では、３００Ｗ以上の高能力の圧縮機を用いた冷凍冷蔵ユニットが用いられている。冷蔵室を冷却するシステムでは、Ｒ１３４ａ等の高沸点冷媒を用いている。また、冷凍室を冷却するシステムでは、蒸発温度が低くても高い冷凍能力が出せるＲ２２やＲ４０４Ａ等の低沸点冷媒を用いている。
【０００３】
しかしながら、近年、地球温暖化防止の観点から温暖化係数の高いＲ２２やＲＲ４０４Ａ、Ｒ１３４ａ等のフロン系冷媒からＲ２９０やＲ６００ａ等の自然冷媒への転換が望まれるとともに、二酸化炭素の排出量削減のために消費電力量の大きい業務用の大型冷凍冷蔵庫についても、早急に省エネルギー化を図ることが望まれている。
【０００４】
ここで、業務用の大型冷凍冷蔵庫は、庫内容積を確保するとともに、修理時の対応を容易にするために、その天頂部に冷凍冷蔵ユニットを配置している。そして、冷凍冷蔵ユニットの凝縮器、凝縮ファン、圧縮機は、冷凍冷蔵ユニットのユニットベース上に外気に開放された状態で配置され、凝縮ファンの送風と自然対流によって冷却される構造を採用している。
【０００５】
従来の大型冷蔵庫の冷凍冷蔵ユニットの一例としては、例えば特許文献１に示されているものがある。
【０００６】
以下、図面を参照しながら上記従来の冷蔵庫を説明する。
【０００７】
図４は従来の冷蔵庫の断面図、図５は従来の冷蔵庫の上面図である。
【０００８】
図４において、１は冷凍室、２は扉、３はキャビネットである。キャビネット３の上部には、冷凍冷蔵ユニット４を固定するユニットベース５と、冷凍室１を冷却する冷却室６が設置される。
【０００９】
冷凍冷蔵ユニット４は、レシプロ型の圧縮機構を有する圧縮機７、凝縮器８、減圧手段であるキャピラリ９、蒸発器１０、圧縮機７の吸入管１１、凝縮用ファン１２、蒸発用ファン１３からなる。また、キャビネット３の背面には冷却室６内の除霜水を排出するドレイン１４が埋設されている。
【００１０】
また、図５において、１５はユニットベース５の前面に取り付けられたフロントグリル、１６はユニットベース５の両側面に取り付けられたサイドグリルである。フロントグリル１５およびサイドグリル１６は、ユニットベース５上の圧縮機７、凝縮器８、凝縮用ファン１２からなるコンデンシングユニットが使用者から直接見えないように取り付けられたものである。
【００１１】
次に冷凍冷蔵ユニット４の動作を説明する。冷媒は低沸点冷媒であるＲ４０４Ａを用いる。冷媒Ｒ４０４Ａは圧縮機７で圧縮され、凝縮器８で凝縮された後、キャピラリ９で減圧されて、蒸発器１０へ送られる。そして、蒸発器１０で蒸発された後、吸入管１１を通って圧縮機７へ還流する。このとき、キャピラリ９と吸入管１１は熱交換されて、圧縮機７へ還流する冷媒の冷廃熱が回収される。
【００１２】
また、圧縮機７とともに凝縮用ファン１２を稼動すると、凝縮器８の前面よりユニットベース５上の空気が吸込まれ、凝縮器８で熱交換されて温度が上昇した空気が圧縮機７の方向に吹き出される。
【００１３】
このとき、冷蔵庫が背面を壁に密着するように設置された場合、圧縮機７に吹き出された温風は壁に沿って自然対流により上昇するとともに、一部はサイドグリル１６に衝突して再び凝縮器８の前面から吸込まれる。
【特許文献１】特開平１０−２０５９７３号公報
【発明の開示】
【発明が解決しようとする課題】
【００１４】
しかしながら、上記従来の冷蔵庫は、圧縮機や凝縮器およびこれらを接続する配管の継ぎ目などから冷媒が漏洩した場合、特に、冷媒の噴出方向が上方向であった場合、凝縮用ファンが形成する気流によって攪拌されず、冷凍冷蔵ユニットの上面より直接上方向に噴出される。このとき、Ｒ２９０やＲ６００ａなどの可燃性のある炭化水素冷媒を用いていると、天井付近にある蛍光灯などに触れて着火する可能性がある。
【００１５】
また、凝縮用ファンが形成する気流に沿った場所で冷媒が漏洩した場合は、攪拌されて冷媒濃度が比較的薄くなるが、冷蔵庫が背面を壁に密着するように設置された通常の設置環境では、背面の壁伝いに上昇気流が発生して天井付近に漏洩冷媒が到達しやすくなる。このときも同様に、Ｒ２９０やＲ６００ａなどの可燃性のある炭化水素冷媒を用いていると、壁付近にある電気配線や天井付近にある蛍光灯などに触れて着火する可能性がある。
【００１６】
本発明は、上記従来の課題を解決するもので、漏洩冷媒が冷凍冷蔵ユニットの上面より直接上部に噴出されることを防止するとともに、凝縮用ファンが形成する気流によって漏洩冷媒が後方壁面や天井に運ばれることを防止することで、Ｒ２９０やＲ６００ａなどの可燃性のある炭化水素冷媒を用いても安全性の高い冷蔵庫を提供するものである。
【課題を解決するための手段】
【００１７】
上記従来の課題を解決するために、本発明の冷蔵庫はユニットベース上面に複数の排気口を設けたので、漏洩した可燃性冷媒を拡散排気でき、濃度を低減することができる。
【発明の効果】
【００１８】
以上説明したように、本発明の請求項１に記載の発明は、可燃性冷媒を用いるとともに、凝縮器と、凝縮用ファンと、圧縮機をユニットベース上に配置したコンデンシングユニットを天頂部に取り付けた冷蔵庫において、複数の排気口を設けた天板で天面を囲うことを特徴とするものであり、コンデンシングユニットからの漏洩冷媒を天井に向かって直接噴出されることを防止することで、可燃性冷媒を用いた業務用冷蔵庫の安全性を向上することができる。
【００１９】
請求項２に記載の発明は、請求項１の発明に、さらに、切り起こし穴で排気口を形成するものであり、切り起こし部に漏洩冷媒が衝突することで、冷媒の噴出速度を抑えるとともに、拡散を促進することで、可燃性冷媒を用いた業務用冷蔵庫の安全性をさらに向上することができる。
【００２０】
請求項３に記載の発明は、請求項１または請求項２に記載の発明に、さらに、排気口を設けた天板の一部を取り外し可能とするものであり、天井付近に蛍光灯などの着火源がある場合に、排気口を着火源から遠ざけて配置することができ、可燃性冷媒を用いた業務用冷蔵庫の安全性をさらに向上することができる。
【００２１】
請求項４に記載の発明は、請求項１から請求項３のいずれかの発明にさらに、排気口を消炎金網で囲うものであり、天井付近で着火した場合でも冷蔵庫本体への類焼を防ぐことができ、可燃性冷媒を用いた業務用冷蔵庫の安全性をさらに向上することができる。
【００２２】
請求項５に記載の発明は、請求項１から請求項４のいずれかの発明にさらに、凝縮器と圧縮機の上部以外の天面に排気口を設けるものであり、漏洩冷媒を凝縮用ファンの気流によって確実に攪拌することで、天面上方へ噴出する冷媒の濃度をさげることで、可燃性冷媒を用いた業務用冷蔵庫の安全性をさらに向上することができる。
【００２３】
請求項６に記載の発明は、請求項１から請求項５のいずれかの発明にさらに、コンデンシングユニットの側面および背面を板で囲うものであり、側面や背面を壁に密着して設置された場合でも、壁伝いに上昇気流が発生することを防止することができ、可燃性冷媒を用いた業務用冷蔵庫の安全性をさらに向上することができる。
【００２４】
請求項７に記載の発明は、請求項６の発明にさらに、コンデンシングユニットの前面下部あるいは背面下部に吸気口を設けるものであり、コンデンシングユニット周辺に外気を導入し易くすることで、漏洩冷媒の濃度を下げることができ、可燃性冷媒を用いた業務用冷蔵庫の安全性をさらに向上することができる。
【００２５】
請求項８に記載の発明は、請求項６の発明にさらに、コンデンシングユニットの前面あるいは背面に吸気ファンを設けるものであり、積極的にコンデンシングユニット周辺に外気を導入し易くすることで、圧縮機や凝縮用ファンが停止中で自然対流による換気が望めない場合でも漏洩冷媒の濃度を下げることができ、可燃性冷媒を用いた業務用冷蔵庫の安全性をさらに向上することができる。
【００２６】
請求項９に記載の発明は、請求項１から請求項８のいずれかの発明にさらに、凝縮用ファンを０．１ｍ３／分以上の風量で連続運転するものであり、積極的にコンデンシングユニット周辺を攪拌することで、圧縮機が停止中で自然対流による換気が望めない場合でも漏洩冷媒の濃度を下げることができ、可燃性冷媒を用いた業務用冷蔵庫の安全性をさらに向上することができる。
【発明を実施するための最良の形態】
【００２７】
本発明の請求項１に記載の発明は、可燃性冷媒を用いるとともに、凝縮器と、凝縮用ファンと、圧縮機をユニットベース上に配置したコンデンシングユニットを天頂部に取り付けた冷蔵庫において、複数の排気口を設けた天板で天面を囲うことを特徴とするものであり、コンデンシングユニットからの漏洩冷媒を天井に向かって直接噴出されることを防止することで、可燃性冷媒を用いた業務用冷蔵庫の安全性を向上することができる。
【００２８】
請求項２に記載の発明は、請求項１の発明に、さらに、切り起こし穴で排気口を形成するものであり、切り起こし部に漏洩冷媒が衝突することで、冷媒の噴出速度を抑えるとともに、拡散を促進することで、可燃性冷媒を用いた業務用冷蔵庫の安全性をさらに向上することができる。
【００２９】
請求項３に記載の発明は、請求項１または請求項２に記載の発明に、さらに、排気口を設けた天板の一部を取り外し可能とするものであり、天井付近に蛍光灯などの着火源がある場合に、排気口を着火源から遠ざけて配置することができ、可燃性冷媒を用いた業務用冷蔵庫の安全性をさらに向上することができる。
【００３０】
請求項４に記載の発明は、請求項１から請求項３のいずれかの発明にさらに、排気口を消炎金網で囲うものであり、天井付近で着火した場合でも冷蔵庫本体への類焼を防ぐことができ、可燃性冷媒を用いた業務用冷蔵庫の安全性をさらに向上することができる。
【００３１】
請求項５に記載の発明は、請求項１から請求項４のいずれかの発明にさらに、凝縮器と圧縮機の上部以外の天面に排気口を設けるものであり、漏洩冷媒を凝縮用ファンの気流によって確実に攪拌することで、天面上方へ噴出する冷媒の濃度をさげることで、可燃性冷媒を用いた業務用冷蔵庫の安全性をさらに向上することができる。
【００３２】
請求項６に記載の発明は、請求項１から請求項５のいずれかの発明にさらに、コンデンシングユニットの側面および背面を板で囲うものであり、側面や背面を壁に密着して設置された場合でも、壁伝いに上昇気流が発生することを防止することができ、可燃性冷媒を用いた業務用冷蔵庫の安全性をさらに向上することができる。
【００３３】
請求項７に記載の発明は、請求項６の発明にさらに、コンデンシングユニットの前面下部あるいは背面下部に吸気口を設けるものであり、コンデンシングユニット周辺に外気を導入し易くすることで、漏洩冷媒の濃度を下げることができ、可燃性冷媒を用いた業務用冷蔵庫の安全性をさらに向上することができる。
【００３４】
請求項８に記載の発明は、請求項６の発明にさらに、コンデンシングユニットの前面あるいは背面に吸気ファンを設けるものであり、積極的にコンデンシングユニット周辺に外気を導入し易くすることで、圧縮機や凝縮用ファンが停止中で自然対流による換気が望めない場合でも漏洩冷媒の濃度を下げることができ、可燃性冷媒を用いた業務用冷蔵庫の安全性をさらに向上することができる。
【００３５】
請求項９に記載の発明は、請求項１から請求項８のいずれかの発明にさらに、凝縮用ファンを０．１ｍ３／分以上の風量で連続運転するものであり、積極的にコンデンシングユニット周辺を攪拌することで、圧縮機が停止中で自然対流による換気が望めない場合でも漏洩冷媒の濃度を下げることができ、可燃性冷媒を用いた業務用冷蔵庫の安全性をさらに向上することができる。
【００３６】
以下、本発明による業務用の大型冷蔵庫の実施の形態について、図面を参照しながら説明する。
【００３７】
（実施の形態１）
図１は、本発明の実施の形態１による冷蔵庫の断面図である。図２は同実施の形態による冷蔵庫に用いられる上面図である。なお、従来と同一の構成については、同一番号を付して詳細な説明は省略する。
【００３８】
図１において、１は冷凍室、２は扉、３はキャビネットである。キャビネット３の上部には、冷凍冷蔵ユニット２０を固定するユニットベース５と、冷凍室１を冷却する冷却室６が設置される。冷媒は、可燃性の高沸点冷媒であるＲ６００ａを用いる。
【００３９】
冷凍冷蔵ユニット２０は、レシプロ型の圧縮機構を有し回転数が３０〜８０ｒｐｓに可変できるインバータ圧縮機２１、凝縮器８、減圧手段であるキャピラリ９、蒸発器１０、インバータ圧縮機２１の吸入管１１、凝縮用ファン１２、蒸発用ファン１３からなる。また、キャビネット３の背面には冷却室６内の除霜水を排出するドレイン１４が埋設されている。
【００４０】
また、インバータ圧縮機２１、凝縮器８、凝縮用ファン１２からなるコンデンシングユニットは、前面をフロントグリル１５、両側面をサイドグリル１６、背面をバックパネル２２、天面を天板２３で囲われている。天板２３には切り起こし穴２４からなる排気口が８箇所設けられているとともに、フロントグリル１５の下部に前面吸気口２５と、バックパネル２２の下部に背面吸気口２６が設けられている。
【００４１】
図２において、切り起こし穴２４からなる排気口は、天板２３の後方の両側にあり、インバータ圧縮機２１の両側にある空間の真上に片側４箇所、合計８箇所設けられている。
【００４２】
なお、厨房環境に設置される業務用冷蔵庫においては、空気中の埃や飛沫状油分が凝縮器８に付着して目詰まりを起こしやすいことから、凝縮器８の間口寸法を十分大きく確保して、目詰まりの影響を小さくするとともに、凝縮器８の間口にフィルター（図示せず）を装着する。
【００４３】
次に冷凍冷蔵ユニット２０の動作を説明する。
【００４４】
ドア開閉が頻繁に行われて冷凍室１の室内温度が大きく上昇した場合、インバータ圧縮機２１は８０ｒｐｓで駆動され、冷媒Ｒ６００ａがインバータ圧縮機２１で圧縮され、凝縮器８で凝縮された後、キャピラリ９で減圧されて、蒸発器２２へ送られる。そして、蒸発器２２で蒸発された後、吸入管１１を通ってインバータ圧縮機２１へ還流する。このとき、キャピラリ９と吸入管１１は熱交換されて、インバータ圧縮機２１へ還流する冷媒の冷廃熱が回収される。
【００４５】
ここで、インバータ圧縮機２１の気筒容積は、低沸点冷媒であるＲ４０４Ａを使用した従来の冷蔵庫の圧縮機の約３倍に設計されており、Ｒ４０４Ａの約３０％の体積能力であるＲ６００ａを用いた本実施例においても従来同等以上の冷却能力が発揮できる。なお、圧縮機の標準条件である凝縮温度５４．４℃、蒸発温度−２３．３℃、過冷却２２．４℃、吸入ガス温度３２．２℃における実効効率は、従来の冷蔵庫の圧縮機は１．２Ｗ／Ｗ程度であるのに対して、インバータ圧縮機２１は１．５Ｗ／Ｗであり、２５％程度の省エネルギー化が図れる。
【００４６】
そして、冷凍室１の室内温度が低下して設定温度−２０℃の＋１．５℃以下に下がると、所定時間毎にインバータ圧縮機２１の回転数を８０ｒｐｓから３０ｒｐｓまで順次低下させる。さらに、冷凍室１の室内温度が低下して設定温度−２０℃の−２℃以下に下がると、インバータ圧縮機２１の運転を停止させる。
【００４７】
このとき、周囲温度３０℃、冷凍室１の室内温度−２０℃の通常運転中における、冷媒Ｒ４０４Ａを用いた従来の冷蔵庫の凝縮温度は約４０℃（約１８気圧）、蒸発温度は約−３０℃（約２．１気圧）であるのに対して、冷媒Ｒ６００ａを用いた本実施例の冷蔵庫の凝縮温度は約３５℃（約４．６気圧）、蒸発温度は約−２５℃（約０．６気圧）と大きく低下することによって、冷媒リークの危険性を大幅に改善することができる。また、冷却能力を低下することによって、凝縮温度を低下し蒸発温度を上昇させることで、実効効率を３０％程度改善することができ、さらなる省エネルギー化が図れる。
【００４８】
なお、本実施例においては、インバータ圧縮機２１の最低回転数を３０ｒｐｓとしたが、冷凍室１の設定温度が低く周囲温度が高い場合は冷却負荷が大きく冷凍室１の室内温度が低下しにくいことから、周囲温度や設定温度により最低回転数を決定することが望ましい。
【００４９】
次に、凝縮用ファン１２と切り起こし穴２４の働きについて説明する。
【００５０】
インバータ圧縮機２１とともに凝縮用ファン１２を稼動すると、凝縮器８の前面よりユニットベース５上の空気が吸込まれ、凝縮器８で熱交換されて温度が上昇した空気がインバータ圧縮機２１の方向に吹き出される。そして、インバータ圧縮機２１に吹き出された温風はバックパネル２２やサイドグリル１６に衝突して、再び凝縮器８の前面から吸込まれる。
【００５１】
このとき、インバータ圧縮機２１の両側を通過する気流の一部が、自然対流により上昇して切り起こし穴２４から天板２３の上方に徐々に拡散していくとともに、前面吸気口２５および背面吸気口２６から外気が流入する。
【００５２】
ここで、可燃性の冷媒Ｒ６００ａが漏洩した場合、電気用品安全法省令第二項ＩＥＣＪ−６０３３５−２−２４規格に基づいて考えると、その漏洩速度は１時間で最大１５０ｇ程度（１００％濃度のＲ６００ａガス６３Ｌ相当）と想定される。そこで、凝縮用ファン１２の風量を１００Ｌ／分以上に設計しておくと、緩い密閉状態にあるコンデンシングユニット周辺は、漏洩冷媒がほぼ均一に攪拌された状態になる。
【００５３】
その結果、漏洩冷媒はコンデンシングユニット周辺で十分希釈された後、自然対流により上昇して切り起こし穴２４から天板２３の上方に徐々に拡散していくこととなり、天井付近まで可燃濃度域に達することを防止することができる。
【００５４】
なお、本実施例においては、冷却運転中の凝縮用ファン１２の風量を２０００Ｌ／分一定とし、冷却運転停止中の凝縮用ファン１２の風量を５００Ｌ／分一定としたが、インバータ圧縮機２１の回転数の低下に合わせて、冷却運転中の凝縮用ファン１２の風量を低下してもよい。凝縮用ファン１２の風量を低下することで、ファン入力の省エネルギー化が図れる。
【００５５】
また、本実施例においては、効率の高い高沸点冷媒であるＲ６００ａと、実効効率の高いインバータ圧縮機２１を用いて、通常運転中の凝縮器８の発熱量を２００Ｗ程度としたが、効率の低い冷媒と圧縮機の組み合わせでは凝縮器８の発熱量が増大して、コンデンシングユニット周辺の温度が上昇して効率がさらに低下するとともに、切り起こし穴２４から拡散する上昇気流の速度が大きくなることから、Ｒ６００ａとインバータ圧縮機２１の組み合わせが望ましい。
【００５６】
例えば、凝縮用ファン１２の風量を７５０Ｌ／分とした場合、切り起こし穴２４から拡散する上昇気流の速度は１５０Ｌ／分（凝縮器と圧縮機の総発熱量２００Ｗ相当）以下であれば、コンデンシングユニット周辺が緩い密閉構造となりコンデンシングユニット周辺で十分希釈された後徐々に天板２３の上部に拡散するので、天板２３の上部への可燃域の拡大が防止できる。
【００５７】
なお、本実施例においては、切り起こし穴２４の位置を固定としたが、切り起こし穴２４の周辺を取り外し可能としておけば、天井付近の蛍光灯などの着火源から遠くなるように切り起こし穴２４の位置が変更できるので、より安全性が高められる。
【００５８】
また、切り起こし穴２４の通気部を消炎金網で囲うことで、天井付近で着火した場合でも冷蔵庫本体への類焼を防ぐことができ、より安全性が高められる。
【００５９】
また、冷蔵庫が設置される部屋の壁近傍に切り起こし穴２４を形成すると、部屋の壁伝いに速度の速い上昇気流が発生しするため、切り起こし穴２４は天板２３の端から２０ｍｍ以上離すことが望ましい。また、切り起こし穴２４をまとめて、大きな貫通穴を形成すると、凝縮器８の上部付近から上方向に漏洩冷媒が噴出した場合に漏洩冷媒が直接貫通穴から天板２３の上部に拡散する可能性が高くなるので、比較的面積の小さい複数の切り起こし穴あるいは貫通穴を形成することが望ましい。
【００６０】
（実施の形態２）
図３は、本発明の実施の形態２による冷蔵庫の断面図である。なお、実施の形態１と同一の構成については、同一番号を付して詳細な説明は省略する。
【００６１】
図３において、３０は吸気ファンである。３０Ｌ／分の小風量で常に外気を流入するものである。
【００６２】
冷凍冷蔵ユニット２０が稼動中の動作は、実施の形態１と同じである。
【００６３】
一方、冷凍冷蔵ユニット２０が長時間停止中に冷媒が漏洩した場合、凝縮器８やインバータ圧縮機２１の温度が低いため自然対流だけでは切り起こし穴２４から漏洩冷媒が排出されず、コンデンシングユニット周辺に滞留する。その結果、稼動開始時に高濃度の漏洩冷媒が切り起こし穴２４から排出されることになる。
【００６４】
そこで、吸気ファン３０を小風量で常に外気を流入することで、漏洩冷媒の滞留を防止する。また、凝縮器８やインバータ圧縮機２１の温度が高く自然対流による上昇気流が激しい場合は、前面吸入口２５から外気を取り入れて流入量を調整する。
【００６５】
この結果、冷凍冷蔵ユニット２０が停止中に冷媒が漏洩した場合でも、コンデンシングユニット周辺に滞留することなく、徐々に切り起こし穴２４から排出することで天井付近まで可燃濃度域に達することを防止することができる。
【産業上の利用可能性】
【００６６】
以上のように、本発明にかかる冷蔵庫は、可燃性冷媒を用いた冷蔵庫の冷媒漏洩時の安全性を高めることができ、冷蔵庫に限らず可燃性冷媒を用いた冷凍システムを有する冷凍空調関連の機器全般にその技術を適用することができる。
【図面の簡単な説明】
【００６７】
【図１】本発明の実施の形態１による冷蔵庫の断面図
【図２】本発明の実施の形態１による冷蔵庫の上面図
【図３】本発明の実施の形態２による冷蔵庫の断面図
【図４】従来の冷蔵庫の断面図
【図５】従来の冷蔵庫の上面図
【符号の説明】
【００６８】
１    冷凍室
５    ユニットベース
８    凝縮器
１２    凝縮用ファン
２０    冷凍冷蔵ユニット
２１    インバータ圧縮機
２３    天板
２４    切り起こし穴
【図１】
2005114233.tif 000003
【図２】
2005114233.tif 000004
【図３】
2005114233.tif 000005
【図４】
2005114233.tif 000006
【図５】
2005114233.tif 000007